【手続補正書】
【提出日】平成17年7月1日(2005.7.1)
【手続補正１】
【補正対象書類名】特許請求の範囲
【補正対象項目名】請求項１
【補正方法】変更
【補正の内容】
【請求項１】
ＧＰＳ手段を備え、ネットワークを経由して目的地と、出発地および／またはＧＰＳ手段で測位した現在位置とを情報配信コンピュータシステムに送信して経路案内を要求し、前記情報配信コンピュータシステムから配信される情報に基づいて経路案内するナビゲーション制御モジュールと、他の携帯電話と通話するための通話制御モジュールと、前記各モジュールを制御するオペレーション制御モジュールと、を有する携帯ナビゲーション装置であって、
前記オペレーション制御モジュールがナビゲーション制御モジュールの作動中に所定のイベントを検出した場合前記ナビゲーション制御モジュールにサスペンド指令を送出して前記ナビゲーション制御モジュールがサスペンドし、
オペレーション制御モジュールが前記所定のイベントの終了を検出すると前記ナビゲーション制御モジュールにレジューム指令を送出して前記ナビゲーション制御モジュールがレジュームするようになしたことを特徴とする携帯ナビゲーション装置。
【手続補正２】
【補正対象書類名】特許請求の範囲
【補正対象項目名】請求項４
【補正方法】変更
【補正の内容】
【請求項４】
前記所定のイベントは、携帯ナビゲーション装置のシステムリソースが不足していることを示す警告であることを特徴とする請求項１に記載の携帯ナビゲーション装置。
【手続補正３】
【補正対象書類名】特許請求の範囲
【補正対象項目名】請求項１１
【補正方法】変更
【補正の内容】
【請求項１１】
ＧＰＳ手段を備え、ネットワークを経由して目的地と、出発地および／またはＧＰＳ手段で測位した現在位置とを情報配信コンピュータシステムに送信して経路案内を要求し、前記情報配信コンピュータシステムから配信される情報に基づいて経路案内するナビゲーション制御モジュールと、他の携帯電話と通話するための通話制御モジュールと、前記各モジュールを制御するオペレーション制御モジュールと、を有する携帯ナビゲーション装置の制御方法であって、
前記オペレーション制御モジュールがナビゲーション制御モジュールの作動中に所定のイベントを検出した場合前記ナビゲーション制御モジュールにサスペンド指令を送出して前記ナビゲーション制御モジュールがサスペンドするステップと、
オペレーション制御モジュールが前記所定のイベントの終了を検出すると前記ナビゲーション制御モジュールにレジューム指令を送出して前記ナビゲーション制御モジュールがレジュームするステップとからなることを特徴とする携帯ナビゲーション装置の制御方法。
【手続補正４】
【補正対象書類名】特許請求の範囲
【補正対象項目名】請求項１８
【補正方法】変更
【補正の内容】
【請求項１８】
ＧＰＳ手段を備え、ネットワークを経由して目的地と、出発地および／またはＧＰＳ手段で測位した現在位置とを情報配信コンピュータシステムに送信して経路案内を要求し、前記情報配信コンピュータシステムから配信される情報に基づいて経路案内するナビゲーション機能と、他の携帯電話と通話するための通話制御機能と、オペレーション制御機能を実行するコンピュータ装置に、
通話制御をトリガにして前記ＧＰＳ手段をオフする機能と、ＧＰＳ手段をオンする機能を実現させるための制御プログラム。
【手続補正５】
【補正対象書類名】明細書
【補正対象項目名】００１５
【補正方法】変更
【補正の内容】
【００１５】
前記課題を解決するために、本願の請求項１に係る発明は、ＧＰＳ手段を備え、ネットワークを経由して目的地と、出発地および／またはＧＰＳ手段で測位した現在位置とを情報配信コンピュータシステムに送信して経路案内を要求し、前記情報配信コンピュータシステムから配信される情報に基づいて経路案内するナビゲーション制御モジュールと、他の携帯電話と通話するための通話制御モジュールと、前記各モジュールを制御するオペレーション制御モジュールと、を有する携帯ナビゲーション装置であって、
前記オペレーション制御モジュールがナビゲーション制御モジュールの作動中に所定のイベントを検出した場合前記ナビゲーション制御モジュールにサスペンド指令を送出して前記ナビゲーション制御モジュールがサスペンドし、
オペレーション制御モジュールが前記所定のイベントの終了を検出すると前記ナビゲーション制御モジュールにレジューム指令を送出して前記ナビゲーション制御モジュールがレジュームするようになしたことを特徴とする。
【手続補正６】
【補正対象書類名】明細書
【補正対象項目名】００１６
【補正方法】変更
【補正の内容】
【００１６】
また、本願の請求項２〜４に係る発明は、請求項１の携帯ナビゲーション装置において、所定のイベントが、他の携帯電話からの通話の着信であり、あるいは、バッテリーの充電残量が一定のレベル以下となったことを示す警告、あるいは、携帯ナビゲーション装置のシステムリソースが不足していることを示す警告であることを特徴とする。
【手続補正７】
【補正対象書類名】明細書
【補正対象項目名】００１９
【補正方法】変更
【補正の内容】
【００１９】
また、本願の請求項１１に係る発明は、ＧＰＳ手段を備え、ネットワークを経由して目的地と、出発地および／またはＧＰＳ手段で測位した現在位置とを情報配信コンピュータシステムに送信して経路案内を要求し、前記情報配信コンピュータシステムから配信される情報に基づいて経路案内するナビゲーション制御モジュールと、他の携帯電話と通話するための通話制御モジュールと、前記各モジュールを制御するオペレーション制御モジュールと、を有する携帯ナビゲーション装置の制御方法であって、
前記オペレーション制御モジュールがナビゲーション制御モジュールの作動中に所定のイベントを検出した場合前記ナビゲーション制御モジュールにサスペンド指令を送出して前記ナビゲーション制御モジュールがサスペンドするステップと、
オペレーション制御モジュールが前記所定のイベントの終了を検出すると前記ナビゲーション制御モジュールにレジューム指令を送出して前記ナビゲーション制御モジュールがレジュームするステップとからなることを特徴とする。
【手続補正８】
【補正対象書類名】明細書
【補正対象項目名】００２２
【補正方法】変更
【補正の内容】
【００２２】
また、本願の請求項１８に係る発明は、ＧＰＳ手段を備え、ネットワークを経由して目的地と、出発地および／またはＧＰＳ手段で測位した現在位置とを情報配信コンピュータシステムに送信して経路案内を要求し、前記情報配信コンピュータシステムから配信される情報に基づいて経路案内するナビゲーション機能と、他の携帯電話と通話するための通話制御機能と、オペレーション制御機能を実行するコンピュータ装置に、
通話制御をトリガにして前記ＧＰＳ手段をオフする機能と、ＧＰＳ手段をオンする機能を実現させるための制御プログラムであることを特徴とする。
【手続補正９】
【補正対象書類名】明細書
【補正対象項目名】００２６
【補正方法】変更
【補正の内容】
【００２６】
また、請求項３〜４に係る発明においては、バッテリーの充電残量が一定レベル以下であることを示す警告、あるいは、携帯ナビゲーション装置のシステムリソースが不足していることを示す警告があった場合に、ナビゲーション機能をサスペンドするものであるから、可能な限り携帯電話本来の通話機能を損なわないようにすることができる。
【手続補正１０】
【補正対象書類名】明細書
【補正対象項目名】００３２
【補正方法】変更
【補正の内容】
【００３２】
また、請求項１８に係る発明においては、ＧＰＳ手段を備え、ネットワークを経由して目的地と、出発地および／またはＧＰＳ手段で測位した現在位置とを情報配信コンピュータシステムに送信して経路案内を要求し、前記情報配信コンピュータシステムから配信される情報に基づいて経路案内するナビゲーション機能と、他の携帯電話と通話するための通話制御機能と、オペレーション制御機能を実行するコンピュータ装置に、通話制御をトリガにしてＧＰＳ手段の作動をオフする機能と、ＧＰＳ手段をオンする機能を実現させる制御プログラムを提供することができる。
【手続補正１１】
【補正対象書類名】明細書
【補正対象項目名】００４４
【補正方法】変更
【補正の内容】
【００４４】
本実施例においては、以下のようにして他の携帯電話から着信があった場合にナビゲーション機能がサスペンドされ通話の応答ができるようになる。すなわち、操作部１７の操作によって、ユーザーからナビゲーションサービスを利用する指示入力があると、オペレーション制御モジュール１２１はナビゲーション制御モジュール１２３を起動する。ナビゲーション制御モジュールは先ずナビゲーションに必要な条件、すなわち、出発地あるいは現在地と目的地を入力する画面を表示し、ユーザーに入力、送信を行わせる。